【手続補正書】
【提出日】平成19年4月11日(2007.4.11)
【手続補正１】
【補正対象書類名】明細書
【補正対象項目名】全文
【補正方法】変更
【補正の内容】
【書類名】  明細書  【特許請求の範囲】    【請求項１】  バッグ本体の外壁面の内、身体に接触する側の内向き面を除く総面積の３割以上の外壁面を面ファスナーの雄部が着脱可能な生地または化学繊維（総称して以下、「面ファスナーの雌部」と言う）で構成するか、外壁表面に面ファスナーの雌部を接着するか、または縫い付けたバッグ。    【請求項２】  バッグが使用される状態において、バッグ外壁面と帯体の間に鋏み込む事によって物を収納するための帯体（以下「収納用帯体」と言う）の下辺部を地面と平行となる様バッグ本体の外壁部に縫い付けるか、着脱可能な構成とし、その帯体は、下辺部に対し回転動作可能に取り付けられ、上部にてバッグ本体と接触する面には前項の面ファスナーの雌部と着脱出来る様、面ファスナーの雄部がバッグに向けて接続されている請求項１記載のバッグ。    【請求項３】  請求項２記載の帯体が上下ともバッグ本体と接続された状態において外見から隠れる部分に滑り止めが施されている請求項１及び請求項２記載のバッグ。【発明の詳細な説明】      【０００１】    【発明の属する技術分野】  物を包んで運ぶと言う事に関し、日本古来より使用されている物で最近では馴染みが無くなった風呂敷というものがあるが、形の定まらない物でも包み込むことができ収納という目的が終了すると細かくたたんで、嵩張らないといった利点があった。      【０００２】  本発明は袋によらない収納方法を取ったことにより、形状の定まらない物の収納を可能とし、目的が終了すれば元のバッグの形に戻す事を可能とした。      【０００３】  また、バッグの外壁面に面ファスナーの雌部を接続する事により、与えられたバッグをそのまま使用するだけでなく需要者自身によるバッグ表面の漸進的デザインを可能とし、あるいは目的に合った小物入れ等の着脱が自在であるため、システマテックな利用を可能としたバッグに関するものである。      【０００４】    【従来の技術】  従来のバッグは、素人では完成したバッグの改造をする事は容易な事ではない為、供給者側のデザインした物を需要者が気に入った物があれば購入するだけのものであって、バッグ外部に手を加える事はバッグの表面を傷つける事となり、勇気と決断を必要とした。      【０００５】  固有な物を収納する事に関しては各々目的を持った上で、色々な小物入れ等をバッグの内外部に配置するなど多種多様のバッグが発明・考案されている。      【０００６】  さらに最近ではバッグ内壁面の内、外向き面を除く内壁面全てに面ファスナー雌部を貼り付ける事により、内部の固定された容積の範囲内で、主にパソコン収納を意識した自由配置可能なＯＡバッグが販売されているが、バッグ外壁面に接続した面ファスナーの雌部を利用し外観を変えたり、都度必要な小物入れを着脱可能とし、しかも外部にてポケットまたは袋状以外による収納を可能としたシステムバッグに関しては皆無である。      【０００７】    【発明が解決しようとする課題】  今のところ供給者側から提供されるバッグは、需要者が気に入った物を購入し使用するだけで一般にはそれ以上の選択・改造が出来ない。従って流行に敏感な需要者は一時期を過ぎると蔵入りとしてしまったり、廃棄としてしまう事もある。      【０００８】  流���色・形状・デザインが毎年変わる現状において、流行遅れとなったバッグ、あるいは形状とかデザインの変化を求めたり、機能が古くなったりした場合は蔵入り後廃棄となる商品も数多く見うけられる。      【０００９】  環境問題が叫ばれている昨今、前述一例の如く廃棄物が増え続けており、それらを解決するための手段を考えているであろうが、なかなか再利用の糸口が見つからないのが現状である。      【００１０】  最近公共機関において、新世紀は創造し且つ捨てる事より現在有る物を再利用する為の手段と実行を促している。本発明はバッグ外壁面を面ファスナー雌部で構成する事により、バッグ自体を傷付けることなく需要者自身の手で簡単に表面の自由設計を可能とした飽きの来難いバッグの提供を可能とする。      【００１１】  また供給者側においては、バッグを製造過程の中で可能な限り多目的に使えるようにする為、紐類または小物入れの種類・配置を決めデザインを決定するが、需要者のニーズに合うかどうかは、市場調査をするなり、出まわった後の動向を見ないとわからないのが現状である。デザインとはそのような危険を常に伴っているのである。本発明はデザインの見地からすると製造過程では変化のないバッグになってしまうかも知れないが、使用者の個性あるデザインを生み出せる源を提供するのである。      【００１２】  さらに固定化されたバッグの内部及び外付けの小物入れを含め、収納スペースには限りがありその時々に発生する収納物の形状により、現状では収納不可能となってしまうケースも多々ある中、本発明は側壁のないサンドイッチ方式により、物の形状にとらわれない収納を目的とする。      【００１３】    【課題を解決するための手段】  バッグ本体の外壁面を面ファスナーの雌部で構成する。または外壁表面に対し面ファスナーの雌部を接着するか、縫い付ける事により面ファスナーの雄部との着脱が可能な構成とする。図１・図２はバッグ本体外向き外壁に面ファスナー雌部が接続された正面図及び側面図の一例である。      【００１４】  バッグ外部にて帯体を用い新たな収納スペースとして形成する為、バッグが使用される状態において、図３の如くバッグ外壁部に収納用帯体が地面に対し平行に且つ,下辺部が回転動作可能となる様取り付ける。その帯体を利用した収納方法は、バッグ本体と帯体の空間に収納物を挟み込む事で完結となる。その為下辺部にて固定された帯体を上辺部でも固定させる必要があり、段落番号１３記載の面ファスナーの雌部と着脱出来る様、面ファスナーの雄部がバッグに向けて接続されている。      【００１５】  尚、本発明の収納用帯体はフリーサイズの物も収納可能とする為、底に当たる部分しか固定されておらず、上辺部は収納物の形状・大きさによりバッグ本体面ファスナー雌部の適度な接続可能場所に接着すれば良い。収納の際は両サイドには壁がないため、収納物の落下を防ぐ手段として、左右の滑り止めが必要となりこれらを解決する方法として、バッグ本体と帯体に取り付けられた各々の面ファスナーが接続された状態において外観から隠れる部分でバッグ本体の外壁部、もしくは帯体の内側、またはその両方に滑り止めが施されている。      【００１６】    【発明の実施の形態】  バッグ本体の外壁表面を面ファスナーの雌部で構成する事により、バッグ本体とは異なった繊維質、又は斬新的なデザインが施された生地等を用意し、それらの裏面には面ファスナーの雄部を接続する事によりバッグ本体外壁面の一部または全面を覆う事が可能となる。      【００１７】  仮にバッグ外壁部前面全てが面ファスナーで覆われていた場合、図５の如くデザインの気に入ったバッグと同サイズの生地を用意し、その生地の裏面には面ファスナーの雄部を適度に配置する事によりバッグ本体への取り付けを可能とした。この様にバッグの前面部を覆う事により、新しいバッグを購入したかの如く元のバッグを甦させる事ができる。      【００１８】  またお気に入りの小さなヌイグルミ、あるいはキャラクターグッズ商品等も上記同様背面に面ファスナーの雄部を付ける事により、その時々に合わせヌイグルミ又はグッズ等の配置を変化させたり、取り替えたりする事も可能である。      【００１９】  目的にあった小物入れを複数個用意しその裏面には面ファスナーの雄部を接続しておく事により、バッグ外壁部にて小物入れが着脱自在となる為その時々に発生する必要な小物入れ等の配置も自由に設計できる。      【００２０】  この様に面ファスナーの雌部を接続した外壁面を利用する事による多目的機能の発想に関し、思考可能な範囲においてはバッグの外向き外壁面に限らず、側面及び底面についても同じ事が言える。      【００２１】  また荷物がバッグに入らなかったり、入っても他の荷物の収納に影響を及ぼす場合に備え、バッグの本体外部にて袋状とは異なった方法での収納を形成した。その方法はバッグ本体と収納用帯体とで物を鋏み込む事による。具体的にはその帯体の下辺部をバッグ本体に固定した上で、上辺部は面ファスナーの雄部を本体に向けて接続したものが、バッグ本体外壁の面ファスナー雌部に接着する事で上下が固定される事により収納が可能となる。      【００２２】  図６は上記方法により折りたたみ傘を収納した状態を側面より示しているが、下辺部が回転動作可能となった収納用帯体は側壁がなく、バッグの横の長さよりも若干長い物であっても高さが帯体上部の面ファスナーによりバッグ本体と接続可能であれば、重量は別にして収納可能となる。      【００２３】  尚、収納用帯体をバッグ本体に取り付ける方法として、バッグ本体の外壁部に縫い付けるだけでなくスナップまたはファスナー等により着脱自在にすることにより、段落番号１７及び１８記載の如く、ファッション感覚を楽しむ事が出来、また必要な時は段落番号２２の如くバッグに入りきらない物の収納具として使用する等、その時々の用途に合った利用も可能となる。      【００２４】    【発明の効果】  前述の如く誰でも簡単にバッグの外観を変化させる事が可能であり、需要者自身のコーディネイトで想像を絶するバッグが街を横行するはずである。      【００２５】  また利用価値の無くなったグッズとか生地等も再利用される事も想定出来る上、バッグ自体も廃棄となる数も減って行く結果となり、資源の再利用及び廃棄物の減少も期待出来る。      【００２６】  収納用帯体による側壁の無い収納を形成する事による効果としては、収納物の形状に左右されないため目的毎に作られた固有バッグの必要性を減少し、しかも物の出し入れも即座に出来る様にした事により幅広い利用を可能とした。      【００２７】  雨の日、電車等で座席に座った人が書物を読む際に長い傘の処置に困っている場面をよく見かけるが、この様な状況を解決するためにバッグの底部に面ファスナーの雌部を接続しておき、さらに両端に面ファスナー雄部を接続した細長い生地または繊維を用意しておく。座った状態で傘の先端を床に置き、バッグ本体の底部に接触する部分を前記記載の細長いもので横長の状態で鋏み込む要領で、バッグ底部面ファスナー雌部に傘の左右にて接着する事により、傘を床に滑り落とす事もなく安心して読書が楽しめる。      【００２８】  雨の日は濡れた折りたたみ傘の収納には苦労している人は多いが、女性の場合は大半がビニール袋を用意し、屋内に入ると濡れた傘をビニール袋に入れた上でバッグ内の他の物が濡れない様に収納している人をよく見かける。本発明の収納用帯体はバッグ外部で構成され、しかもバッグ本体に防水加工した生地もしくは繊維を使用する事により、収納用帯体を利用した格納はビニール袋に入れなくとも濡れた傘による水滴はバッグ内に浸透しにくい状態となる。      【００２９】  さらに収納用帯体をバッグ本体に取り付けた状態でその外側に当る面に面ファスナーの雌部を接続する事により、通常は小物入れ等をその帯体の面ファスナーの雌部に接着しておき、その帯体を収納目的で急遽使用しなければならない状態となったとしても、バッグ本体とその帯体により物が納まった分、帯体が隆起する。それにより帯体の上辺部はほぼ全体的に下がるが、バッグ本体と帯体上部の両方の面ファスナー雌部と接続することにより、小物入れ等の接着も可能となる。【図面の簡単な説明】【図１】本発明の外壁外側面全面に面ファスナー雌部が装着された正面図である。【図２】図１の側面図である。【図３】バッグに外付け収納具を取り付け、外付収納具を垂れ下げた状態の正面図である。【図４】図３の側面図である。【図５】お気に入りの柄の繊維を覆ったバッグの正面図である。【図６】外付収納具として折りたたみ傘を収納した側面図である。【符号の説明】１ バッグ本体２ 面ファスナー雌部３ 面ファスナー雄部４ 外付収納具５ 滑り止め６ お気に入りの繊維７ 折りたたみ傘